(57)【要約】      （修正有）【課題】使用したコップをコップスタンドに掛けたときに、コップの内面に付着した水が洗面台等の天板の上に垂れ落ちることがなく、且つ、邪魔になるときには他の場所へ移動しやすいコップスタンドを提供する。【解決手段】コップ受部を頂点として縦長で、水平面に対して傾斜させて立てたコップ支持体と、前記コップ支持体の傾斜させた側の下部に、一端部を連接した台座を突出させて設ける。これにより、コップの縁が洗面台等の槽の中を覗くように掛けられるので、コップの内面に付着した水は槽の中に流れ落ち、天板の上に垂れ落ちることがない。また、邪魔になるときは他の場所への移動も容易である。【選択図】図１
0003121059.tif 000002
【実用新案登録請求の範囲】
【請求項１】
コップ受部を頂点として縦長で、水平面に対して傾斜させて立てたコップ支持体と、前記コップ支持体の傾斜させた側の下部に、一端部を連接した台座を突出させて設けたことを特徴とするコップスタンド。
【請求項２】
前記コップ支持体と台座が一連の線材で、連続して形成させたことを特徴とする請求項１記載のコップスタンド。
【請求項３】
前記台座に滑り止を取付けた請求項１又は２記載のコップスタンド。
【請求項４】
前記滑り止の中に蛍光剤或いは蓄光剤を混合した請求項３記載のコップスタンド。
【考案の詳細な説明】
【技術分野】
【０００１】
本考案は、主として一般家庭の洗面台や流し台等で使用する、コップを掛けるコップスタンドに関するものである。      
【背景技術】
【０００２】
従来の一般家庭の洗面台等で使用するコップスタンドは、洗面台等の天板面に吸盤で吸着させて使用するものが一般的である（例えば、特許文献１参照）。
【０００３】
【特許文献１】実開昭５４−１２６８８４号公報
【考案の開示】
【考案が解決しようとする課題】
【０００４】
以上に述べた特許文献１のコップスタンドでは、使用したコップをコップスタンドに掛けたときに、コップの内面に付着した水が、洗面台等の天板の上に垂れ落ちる欠点があった。また、吸盤で洗面台等の天板面に吸着させて使用する方式になっており、移動したいときに取付け取外しがしづらい欠点もあった。
【０００５】
本考案は、このような従来の技術が有していた問題を解決しようとするものであり、使用したコップをコップスタンドに掛けたときに、コップの内面に付着した水が洗面台等の天板の上に垂れ落ちることがなく、且つ、邪魔になるときには他の場所へ移動しやすいコップスタンドを実現することを目的とするものである。  
【課題を解決するための手段】
【０００６】
上記目的を達成するために、コップ受部を頂点として縦長で、水平面に対して傾斜させて立てたコップ支持体と、前記コップ支持体の傾斜させた側の下部に、一端部を連接した台座を突出させて設ける。
【０００７】
なお、コップ支持体と台座は一連の線材を用いて、連続して形成してもよい。
【０００８】
そして、前記台座に滑り止を取付けると、洗面台等の天板の上に置いたときに、コップスタンドが滑らなくてよい。
【０００９】
また、前記滑り止にはゴムや軟質樹脂などの柔らかく摩擦抵抗が大きい材料を使用する。
【００１０】
さらに、前記滑り止の中に蛍光剤或いは蓄光剤を混合すると、暗闇で発光して意外性があり、また、目印にもなる。
【考案の効果】
【００１１】
本考案は、以上説明したように構成されているので、次に記載する効果を奏する。
【００１２】
コップスタンドを、洗面台等の槽周辺の天板の上に置いてコップを掛けたときに、コップの縁が槽内に向かって傾いた姿勢で、かつ、槽の中を覗く位置になるので、コップの内面に付着した水はコップの縁が低い方へ伝わって槽の中へ流れ落ち、天板の上に垂れ落ちることがない。さらに、吸盤を使用していないので、邪魔になるときには他の場所に容易に移動できる。
【００１３】
また、台座に滑り止を取付けることにより、コップスタンドが洗面台等の天板面で滑るのを防止すると同時に、接触音を和らげる効果を発揮する。
【００１４】
さらに、滑り止に蛍光剤或いは蓄光剤を混入した材料を使用することにより、暗闇で滑り止が発光して意外性があり、また、目印にもなる。    
【考案を実施するための最良の形態】
【００１５】
以下、本考案の最良の実施の形態を、実施例に基づく図面を参照して説明する。
【実施例１】
【００１６】
図１〜３に示す実施例では、Ａはコップホルダーであり、主として線材を屈曲して形成する。１はコップ支持体で、線材を中央部より屈曲させて相対する両線材で縦長に形成し、水平面に対して前記両線材を傾斜させて立てる。線材はステンレス線や、鉄線の表面に防錆処理や樹脂コーティングを施したもの、或いは銅線等が考えられる。
【００１７】
２はコップ支持体１を形成する過程で線材を中央部より屈曲したことにより、コップ支持体１の頂点に形成されたコップ受部で、コップを逆さにして掛けたときに、ここでコップの内底部を受ける。
【００１８】
そして、側面から見てコップ支持体１の両線材を左方に屈曲させ、左右並行する両線材から成る台座３を形成する。
【００１９】
さらに、ゴムや軟質樹脂などの材料でできた管状の滑り止４を、台座３の両線材の前後左右に挿入して取付ける。
【００２０】
なお、コップ支持体１の長さはコップの深さより若干長く、台座３はコップの直径とほぼ同寸法か、或いは多少大き目にし、コップ受部２が台座３の中央部真上に位置するようにコップ支持体１を傾斜させるのが適当である。
【００２１】
以下、上記実施例１の使用方法を図４図５に基づいて説明する。図４に示すように、コップスタンドＡを、洗面台Ｂの槽５の周辺の天板６の上に、コップ支持部１の下端部が槽５の中に入るように置く。そして、側面から見てコップ７の内底の左側をコップ受部２で受け、コップ７の縁８の右下内側がコップ支持体１に接触するようにし、使用したコップ７をコップスタンドＡに掛ける。そうすると、コップ７の縁８が、槽５内に向かって傾いた姿勢で、かつ、槽５の中を覗く位置になるので、コップ７の内面に付着した水は、コップの縁８が低い方へ伝わって槽５の中に流れ落ちる。また、このような使い方の他、よく水が切れたコップ７を掛けるときは、図５に示すように、このコップスタンドＡを洗面台Ｂの槽５から離れた天板６の上に置いて使用することもできる。
【実施例２】
【００２２】
図６、図７に示す実施例では、コップスタンドＡ１は材料を主として樹脂で一体成型したものである。１１はコップ支持体で、縦長で水平面に対して傾斜して立てた平板状に形成する。１２はコップ受部で、コップ支持体１１の頂点に円弧状に形成する。そして、前記コップ支持体１１の傾斜させた側の下部に、一端部を連接した台座１３を突出させて設ける。
【００２３】
そして、ゴムや軟質樹脂などの材料でできた板状の滑り止１４を、台座１３の下面の四隅に貼り付ける。
【図面の簡単な説明】
【００２４】
【図１】本考案に係る実施例１を示すコップスタンドの側面図
【図２】同実施例１を示すコップスタンドの正面図
【図３】同実施例１を示すコップスタンドの平面図
【図４】同実施例１を示すコップススタンドを洗面台の槽周辺の天板の上に置いた状態の側面図
【図５】同実施例１を示すコップスタンドを洗面台の天板の上に置いた状態の側面図
【図６】本考案に係る実施例２を示すコップスタンドの側面図
【図７】本考案に係る実施例２を示すコップスタンドの正面図
【符号の説明】
【００２５】
Ａ、Ａ１    コップスタンド
Ｂ          洗面台  
１、１１    コップ支持体
２、１２    コップ受部
３、１３    台座
４、１４    滑り止
５          槽
６          天板
７          コップ
【図１】
0003121059.tif 000003
【図２】
0003121059.tif 000004
【図３】
0003121059.tif 000005
【図４】
0003121059.tif 000006
【図５】
0003121059.tif 000007
【図６】
0003121059.tif 000008
【図７】
0003121059.tif 000009